(57)【要約】【課題】被検者への負担を軽減しつつ、信頼性の高い眼屈折力値の取得が可能な眼科装置を提供する。【解決手段】眼科装置は、被検眼の眼底と光学的に略共役な位置に配置された光源からの光を被検眼に投射する投射系と、投射系により投射された光の眼底からの戻り光を受光する受光系と、受光系による戻り光の受光結果に基づいて被検眼の眼屈折力値を求める解析部と、を含み、投射系は、被検眼の瞳孔と光学的に略共役な位置に配置され、所定のパターン状の透光部が形成された絞りと、光源からの光を偏向して透光部に導く偏向部材と、を含み、透光部を透過した光を被検眼に投射する。【選択図】図１
2019058437.tif 000002
【特許請求の範囲】
【請求項１】
被検眼の眼屈折力を測定する眼科装置であって、
前記被検眼の眼底と光学的に略共役な位置に配置された光源からの光を前記被検眼に投射する投射系と、
前記投射系により投射された光の前記眼底からの戻り光を受光する受光系と、
前記受光系による前記戻り光の受光結果に基づいて前記被検眼の眼屈折力値を求める解析部と、
を含み、
前記投射系は、
前記被検眼の瞳孔と光学的に略共役な位置に配置され、所定のパターン状の透光部が形成された絞りと、
前記光源からの光を偏向して前記透光部に導く偏向部材と、
を含み、前記透光部を透過した光を前記被検眼に投射する、
眼科装置。
【請求項２】
前記投射系は、前記偏向部材と前記絞りとの間に配置されたフィールドレンズを含む
ことを特徴とする請求項１に記載の眼科装置。
【請求項３】
前記フィールドレンズのレンズ面に前記絞りが貼り付けられている
ことを特徴とする請求項２に記載の眼科装置。
【請求項４】
前記偏向部材における前記偏向された光の出射面に前記絞りが貼り付けられている
ことを特徴とする請求項１に記載の眼科装置。
【請求項５】
前記絞りは、前記透光部がリング状に形成されたリング絞りである
ことを特徴とする請求項１〜請求項４のいずれか一項に記載の眼科装置。
【請求項６】
前記偏向部材は、円錐面に入射した前記光源からの光を偏向し底面から出射する円錐プリズムを含む
ことを特徴とする請求項１〜請求項５のいずれか一項に記載の眼科装置。
【請求項７】
前記偏向部材は、リングレンズを含む
ことを特徴とする請求項１〜請求項５のいずれか一項に記載の眼科装置。
【発明の詳細な説明】
【技術分野】
【０００１】
この発明は、眼科装置に関する。
【背景技術】
【０００２】
眼科装置として、被検眼の眼屈折力の測定が可能なものが知られている。例えば、被検眼にリング状の光束を投射することにより眼底にリング状の測定パターンを投射し、眼底からの反射光を瞳孔の中心部から取り出し、取得された眼底リング像の大きさや変形の度合いから眼屈折力値を算出する眼科装置が知られている。
【０００３】
このような眼科装置において取得された眼底リング像が睫毛や白内障に起因した水晶体の混濁等によって不鮮明な場合、算出された眼屈折力値の信頼性が低下する。
【０００４】
例えば、特許文献１には、取得されたリング像を近似して得られた楕円から所定距離以内の範囲の領域を抽出し、抽出された領域内のリング像を近似して得られた新たな楕円から眼屈折力値を算出する眼科装置が開示されている。
【先行技術文献】
【特許文献】
【０００５】
【特許文献１】特開２０１７−０５１４３０号公報
【発明の概要】
【発明が解決しようとする課題】
【０００６】
しかしながら、得られたリング像が不鮮明な場合、被検眼に入射する光量を多くして再測定を行うことが望ましい。従って、再測定により被検者に負担がかかることは変わらない。
【０００７】
本発明は、このような事情を鑑みてなされたものであり、その目的は、被検者への負担を軽減しつつ、信頼性の高い眼屈折力値の取得が可能な眼科装置を提供することにある。
【課題を解決するための手段】
【０００８】
実施形態の第１態様は、被検眼の眼屈折力を測定する眼科装置であって、前記被検眼の眼底と光学的に略共役な位置に配置された光源からの光を前記被検眼に投射する投射系と、前記投射系により投射された光の前記眼底からの戻り光を受光する受光系と、前記受光系による前記戻り光の受光結果に基づいて前記被検眼の眼屈折力値を求める解析部と、を含み、前記投射系は、前記被検眼の瞳孔と光学的に略共役な位置に配置され、所定のパターン状の透光部が形成された絞りと、前記光源からの光を偏向して前記透光部に導く偏向部材と、を含み、前記透光部を透過した光を前記被検眼に投射する、眼科装置である。
【０００９】
また、実施形態の第２態様では、第１態様において、前記投射系は、前記偏向部材と前記絞りとの間に配置されたフィールドレンズを含んでもよい。
【００１０】
また、実施形態の第３態様では、第２態様において、前記フィールドレンズのレンズ面に前記絞りが貼り付けられていてもよい。
【００１１】
また、実施形態の第４態様では、第１態様において、前記偏向部材における前記偏向された光の出射面に前記絞りが貼り付けられていてもよい。
【００１２】
また、実施形態の第５態様では、第１態様〜第４態様のいずれかにおいて、前記絞りは、前記透光部がリング状に形成されたリング絞りであってよい。
【００１３】
また、実施形態の第６態様では、第１態様〜第５態様のいずれかにおいて、前記偏向部材は、円錐面に入射した前記光源からの光を偏向し底面から出射する円錐プリズムを含んでもよい。
【００１４】
また、実施形態の第６態様では、第１態様〜第５態様のいずれかにおいて、前記偏向部材は、リングレンズを含んでもよい。
【発明の効果】
【００１５】
本発明によれば、被検者への負担を軽減しつつ、信頼性の高い眼屈折力値の取得が可能な眼科装置を提供することができる。
【図面の簡単な説明】
【００１６】
【図１】実施形態に係る眼科装置の光学系の構成例を示す概略図である。
【図２】実施形態に係る眼科装置の光学系の構成例を示す概略図である。
【図３】実施形態に係る眼科装置の光学系の構成例を示す概略図である。
【図４】実施形態に係る眼科装置の処理系の構成例を示す概略図である。
【図５】実施形態に係る眼科装置の処理系の構成例を示す概略図である。
【図６】実施形態に係る眼科装置の動作例のフローを示す概略図である。
【図７】実施形態の変形例に係る眼科装置の光学系の構成例を示す概略図である。
【図８】実施形態の変形例に係る眼科装置の光学系の構成例を示す概略図である。
【発明を実施するための形態】
【００１７】
この発明に係る眼科装置の実施形態の例について、図面を参照しながら詳細に説明する。なお、この明細書において引用された文献の記載内容や任意の公知技術を、以下の実施形態に援用することが可能である。
【００１８】
実施形態に係る眼科装置は、他覚測定と自覚検査とを実行可能である。他覚測定は、被検者からの応答を参照することなく、主に物理的な手法を用いて被検眼に関する情報を取得する測定手法である。
【００１９】
他覚測定には、被検眼の特性を取得するための測定と、被検眼の画像を取得するための撮影とが含まれる。他覚測定には、他覚屈折測定、角膜形状測定、眼圧測定、眼底撮影、光干渉計測等がある。一方、自覚検査は、被検者からの応答を利用して情報を取得する測定手法である。自覚検査には、遠用検査、近用検査、コントラスト検査、グレア検査等の自覚屈折測定や、視野検査などがある。
【００２０】
実施形態に係る眼科装置は、少なくとも眼屈折特性の他覚測定を実行可能である。
【００２１】
以下、眼底共役位置は、アライメントが完了した状態での被検眼の眼底と光学的に略共役な位置であり、被検眼の眼底と光学的に共役な位置又はその近傍を意味するものとする。同様に、瞳孔共役位置は、アライメントが完了した状態での被検眼の瞳孔と光学的に略共役な位置であり、被検眼の瞳孔と光学的に共役な位置又はその近傍を意味するものとする。
【００２２】
＜光学系の構成＞
図１に、実施形態に係る眼科装置の光学系の構成例を示す。眼科装置１０００は、被検眼Ｅの検査を行うための光学系として、Ｚアライメント系１、ＸＹアライメント系２、ケラト測定系３、視標投影系４、前眼部観察系５、レフ測定投射系６、及びレフ測定受光系７を含む。
【００２３】
（前眼部観察系５）
前眼部観察系５は、被検眼Ｅの前眼部を動画撮影する。前眼部観察系５を経由する光学系において、撮像素子５９の撮像面は瞳孔共役位置Ｑに配置されている。前眼部照明光源５１は、被検眼Ｅの前眼部に照明光（例えば、赤外光）を照射する。被検眼Ｅの前眼部により反射された光は、対物レンズ５２を通過し、ダイクロイックミラー５３を透過し、ハーフミラー５４を透過し、リレーレンズ５５及び５６を通過し、ダイクロイックミラー５７を透過する。ダイクロイックミラー５７を透過した光は、結像レンズ５８により撮像素子５９（エリアセンサ）の撮像面に結像される。撮像素子５９は、所定のレートで撮像及び信号出力を行う。撮像素子５９の出力（映像信号）は、後述の処理部９に入力される。処理部９は、この映像信号に基づく前眼部像を後述の表示部の表示画面に表示させる。前眼部像は、例えば赤外動画像である。
【００２４】
（Ｚアライメント系１）
Ｚアライメント系１は、前眼部観察系５の光軸方向（前後方向、Ｚ方向）におけるアライメントを行うための光（赤外光）を被検眼Ｅに投射する。Ｚアライメント光源１１から出力された光は、被検眼Ｅの角膜に投射され、角膜により反射され、結像レンズ１２によりラインセンサ１３のセンサ面に結像される。角膜頂点の位置が前眼部観察系５の光軸方向に変化すると、ラインセンサ１３のセンサ面における光の投射位置が変化する。処理部９は、ラインセンサ１３のセンサ面における光の投射位置に基づいて被検眼Ｅの角膜頂点の位置を求め、これに基づき光学系を移動させる機構を制御してＺアライメントを実行する。
【００２５】
（ＸＹアライメント系２）
ＸＹアライメント系２は、前眼部観察系５の光軸に直交する方向（左右方向（Ｘ方向）、上下方向（Ｙ方向））のアライメントを行うための光（赤外光）を被検眼Ｅに照射する。ＸＹアライメント系２は、ハーフミラー５４により前眼部観察系５から分岐された光路に設けられたＸＹアライメント光源２１を含む。ＸＹアライメント光源２１から出力された光は、ハーフミラー５４により反射され、前眼部観察系５を通じて被検眼Ｅに投射される。被検眼Ｅの角膜による反射光は、前眼部観察系５を通じて撮像素子５９に導かれる。
【００２６】
この反射光に基づく像（輝点像）は前眼部像に含まれる。処理部９は、輝点像を含む前眼部像とアライメントマークとを表示部の表示画面に表示させる。手動でＸＹアライメントを行う場合、ユーザは、アライメントマーク内に輝点像を誘導するように光学系の移動操作を行う。自動でアライメントを行う場合、処理部９は、アライメントマークに対する輝点像の変位がキャンセルされるように、光学系を移動させる機構を制御する。
【００２７】
（ケラト測定系３）
ケラト測定系３は、被検眼Ｅの角膜の形状を測定するためのリング状光束（赤外光）を角膜に投射する。ケラト板３１は、対物レンズ５２と被検眼Ｅとの間に配置されている。ケラト板３１の背面側（対物レンズ５２側）にはケラトリング光源（図示せず）が設けられている。ケラトリング光源からの光でケラト板３１を照明することにより、被検眼Ｅの角膜にリング状光束が投射される。被検眼Ｅの角膜からの反射光（ケラトリング像）は撮像素子５９により前眼部像とともに検出される。処理部９は、このケラトリング像を基に公知の演算を行うことで、角膜の形状を表す角膜形状パラメータを算出する。
【００２８】
（視標投影系４）
視標投影系４は、固視標や自覚検査用視標等の各種視標を被検眼Ｅに呈示する。光源４１から出力された光（可視光）は、コリメートレンズ４２により平行光束とされ、視標チャート４３に照射される。視標チャート４３は、例えば透過型の液晶パネルを含み、視標を表すパターンを表示する。視標チャート４３を透過した光は、リレーレンズ４４及び４５を通過し、反射ミラー４６により反射され、ダイクロイックミラー６８を透過し、ダイクロイックミラー５３により反射される。ダイクロイックミラー５３により反射された光は、対物レンズ５２を通過して眼底Ｅｆに投射される。光源４１、コリメートレンズ４２及び視標チャート４３は、一体となって光軸方向に移動可能である。
【００２９】
自覚検査を行う場合、処理部９は、他覚測定の結果に基づき光源４１、コリメートレンズ４２及び視標チャート４３を光軸方向に移動させ、視標チャート４３を制御する。処理部９は、検者又は処理部９により選択された視標を視標チャート４３に表示させる。それにより、当該視標が被検者に呈示される。被検者は視標に対する応答を行う。応答内容の入力を受けて、処理部９は、更なる制御や、自覚検査値の算出を行う。例えば、視力測定において、処理部９は、ランドルト環等に対する応答に基づいて、次の視標を選択して呈示し、これを繰り返し行うことで視力値を決定する。
【００３０】
（レフ測定投射系６、レフ測定受光系７）
レフ測定投射系６及びレフ測定受光系７は他覚屈折測定（レフ測定）に用いられる。レフ測定投射系６は、他覚測定用のリング状光束（赤外光）を眼底Ｅｆに投射する。レフ測定受光系７は、このリング状光束の被検眼Ｅからの戻り光を受光する。
【００３１】
レフ測定光源６１は、発光径が所定のサイズ以下の高輝度光源であるＳＬＤ（Ｓｕｐｅｒｌｕｍｉｎｅｓｃｅｎｔ  Ｄｉｏｄｅ）光源であってよい。レフ測定光源６１は、光軸方向に移動可能であり、眼底共役位置Ｐに配置される。リング絞り６５（具体的には、透光部）は、瞳孔共役位置Ｑに配置されている。ダイクロイックミラー５３とダイクロイックミラー６８との間やリレーレンズ７３と合焦レンズ７４との間に、眼底共役位置Ｐが配置される。合焦レンズ７４は、光軸方向に移動可能である。レフ測定受光系７を経由する光学系において、撮像素子５９の撮像面は眼底共役位置Ｐに配置されている。
【００３２】
レフ測定光源６１から出力された光は、リレーレンズ６２を通過し、円錐プリズム６３の円錐面に入射する。円錐面に入射した光は偏向され、円錐プリズム６３の底面から出射する。円錐プリズム６３の底面から出射した光は、フィールドレンズ６４を通過し、リング絞り６５にリング状に形成された透光部を通過する。リング絞り６５の透光部を通過した光（リング状光束）は、孔開きプリズム６６の反射面により反射され、ロータリープリズム６７を通過し、ダイクロイックミラー６８により反射される。ダイクロイックミラー６８により反射された光は、ダイクロイックミラー５３により反射され、対物レンズ５２を通過し、被検眼Ｅに投射される。ロータリープリズム６７は、眼底Ｅｆの血管や疾患部位に対するリング状光束の光量分布を平均化や光源に起因するスペックルノイズの低減のために用いられる。
【００３３】
円錐プリズム６３は、レフ測定投射系６の大型化を回避しつつ、瞳孔共役位置Ｑに可能な限り近い位置に配置されることが望ましい。
【００３４】
図２に、フィールドレンズ６４の断面図を模式的に示す。例えば、図２に示すように、フィールドレンズ６４の被検眼Ｅの側のレンズ面にリング絞り６５が貼り付けられていてもよい。この場合、例えば、フィールドレンズ６４のレンズ面には、リング状の透光部が形成されるように遮光膜が蒸着される。
【００３５】
また、レフ測定投射系６は、フィールドレンズ６４が省略された構成を有していてもよい。
【００３６】
図３に、円錐プリズム６３の断面図を模式的に示す。例えば、図３に示すように、リレーレンズ６２を通過した光が円錐面６３ａに入射する円錐プリズム６３の底面６３ｂにリング絞り６５が貼り付けられていてもよい。この場合、例えば、円錐プリズム６３の底面６３ｂには、リング状の透光部が形成されるように遮光膜が蒸着される。
【００３７】
リング絞り６５は、所定のパターン状の透光部が形成された絞りであってよい。この絞りには、レフ測定投射系６の光軸に対して偏心した位置に透光部が形成されていてよい。また、絞りには、２以上の透光部が形成されていてもよい。
【００３８】
眼底Ｅｆに投射されたリング状光束の戻り光は、対物レンズ５２を通過し、ダイクロイックミラー５３及びダイクロイックミラー６８により反射される。ダイクロイックミラー６８により反射された戻り光は、ロータリープリズム６７を通過し、孔開きプリズム６６の孔部を通過し、リレーレンズ７１を通過し、反射ミラー７２により反射され、リレーレンズ７３及び合焦レンズ７４を通過する。合焦レンズ７４を通過した光は、反射ミラー７５により反射され、ダイクロイックミラー５７により反射され、結像レンズ５８により撮像素子５９の撮像面に結像される。処理部９は、撮像素子５９からの出力を基に公知の演算を行うことで被検眼Ｅの屈折力値を算出する。例えば、屈折力値は、球面度数、乱視度数及び乱視軸角度を含む。
【００３９】
孔開きプリズム６６とリレーレンズ７１との間に、瞳孔上の光束径を制限する絞りが配置されていてもよい。この絞りの透光部は、瞳孔共役位置に配置される。
【００４０】
処理部９は、算出された屈折力値に基づいて、眼底Ｅｆとレフ測定光源６１と撮像素子５９の撮像面とが光学的に共役になるように、レフ測定光源６１と合焦レンズ７４とをそれぞれ光軸方向に移動させる。更に、処理部９は、レフ測定光源６１及び合焦レンズ７４の移動に連動して視標ユニットをその光軸方向に移動させる。光源４１、コリメートレンズ４２及び視標チャート４３を含む視標ユニットと、レフ測定光源６１と、合焦レンズ７４とは、連動してそれぞれの光軸方向に移動可能であってよい。
【００４１】
＜処理系の構成＞
眼科装置１０００の処理系の構成について説明する。眼科装置１０００の処理系の機能的構成の例を図４及び図５に示す。図４は、眼科装置１０００の処理系の機能ブロック図の一例を表したものである。図５は、図４の演算処理部１２０の機能ブロック図の一例を表したものである。
【００４２】
処理部９は、眼科装置１０００の各部を制御する。また、処理部９は、各種演算処理を実行可能である。処理部９は、プロセッサを含む。プロセッサの機能は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路により実現される。処理部９は、例えば、記憶回路や記憶装置に格納されているプログラムを読み出し実行することで、実施形態に係る機能を実現する。
【００４３】
処理部９は、制御部１１０と、演算処理部１２０とを含む。また、眼科装置１０００は、表示部１７０と、操作部１８０と、通信部１９０とを含む。
【００４４】
（制御部１１０）
制御部１１０は、眼科装置１０００の各部を制御する。制御部１１０は、主制御部１１１と、記憶部１１２とを含む。
【００４５】
主制御部１１１は、眼科装置１０００の各種制御を行う。主制御部１１１は、Ｚアライメント系１のＺアライメント光源１１やラインセンサ１３、ＸＹアライメント系２のＸＹアライメント光源２１、ケラト測定系３のケラトリング光源を制御する。それにより、Ｚアライメント光源１１やＸＹアライメント光源２１やケラトリング光源から出力される光の光量が変更されたり、点灯や非点灯が切り替えられたりする。また、ラインセンサ１３により検出された信号が取り込まれ、取り込まれた信号に基づくアライメント制御等が行われる。
【００４６】
主制御部１１１は、視標投影系４の光源４１、及び視標チャート４３を制御する。それにより、光源４１から出力される光の光量が変更されたり、点灯や非点灯が切り替えられたりする。また、視標チャート４３における視標や固視標の表示のオン・オフや、視標や固視標が切り替えられる。また、主制御部１１１は、光源４１、コリメートレンズ４２、及び視標チャート４３を含む視標ユニットを光軸方向に移動する移動機構（図示せず）を制御することができる。
【００４７】
主制御部１１１は、前眼部観察系５の前眼部照明光源５１や撮像素子５９を制御する。それにより、前眼部照明光源５１から出力される光の光量が変更されたり、点灯や非点灯が切り替えられたりする。また、撮像素子５９により取得された信号が取り込まれ、演算処理部１２０により画像の形成等が行われたりする。
【００４８】
主制御部１１１は、レフ測定投射系６のレフ測定光源６１やロータリープリズム６７、レフ測定受光系７の合焦レンズ７４を制御する。それにより、レフ測定光源６１から出力される光の光量が変更されたり、点灯や非点灯が切り替えられたりする。また、ロータリープリズム６７が回転される。また、合焦レンズ７４の光軸方向の位置が変更される。また、主制御部１１１は、レフ測定光源６１を光軸方向に移動する移動機構（図示せず）を制御することができる。
【００４９】
また、主制御部１１１は、記憶部１１２にデータを書き込む処理や、記憶部１１２からデータを読み出す処理を行う。
【００５０】
記憶部１１２は、各種のデータを記憶する。記憶部１１２に記憶されるデータとしては、ケラト測定系３により得られた測定情報、レフ測定投射系６及びレフ測定受光系７により得られた測定情報、撮像素子５９により取得された画像の画像データ、被検眼情報などがある。被検眼情報は、患者ＩＤや氏名などの被検者に関する情報や、左眼／右眼の識別情報などの被検眼に関する情報を含む。ケラト測定系３により得られた測定情報は、眼科装置１０００にて被検眼Ｅのケラト測定が行われたときに記憶部１１２に保存される。レフ測定投射系６及びレフ測定受光系７により得られた測定情報は、眼科装置１０００にて被検眼Ｅのレフ測定が行われたときに記憶部１１２に保存される。記憶部１１２は、角膜形状パラメータの算出処理や眼屈折力値の算出処理の作業メモリとして用いられてもよい。また、記憶部１１２には、眼科装置１０００を動作させるための各種プログラムやデータが記憶されている。
【００５１】
（演算処理部１２０）
演算処理部１２０は、例えば、角膜形状パラメータや眼屈折力値など、眼屈折力を表すパラメータを求めるための各種の演算を実行する。演算処理部１２０は、解析部１２１を含む。
【００５２】
解析部１２１は、レフ測定投射系６により眼底Ｅｆに投射されたリング状光束（リング状の測定パターン）の戻り光を撮像素子５９が受光することにより得られたリング像（パターン像）を解析する。例えば、解析部１２１は、得られたリング像が描出された画像における輝度分布からリング像の重心位置を求め、この重心位置から放射状に延びる複数の走査方向に沿った輝度分布を求め、この輝度分布からリング像を特定する。続いて、解析部１２１は、特定されたリング像の近似楕円を求め、この近似楕円の長径及び短径を公知の式に代入することによって球面度数、乱視度数及び乱視軸角度を求める。
【００５３】
或いは、解析部１２１は、基準パターンに対するリング像の変形及び変位に基づいて眼屈折力のパラメータを求めることができる。
【００５４】
また、解析部１２１は、前眼部観察系５により取得されたケラトリング像に基づいて、角膜屈折力、角膜乱視度及び角膜乱視軸角度を算出する。例えば、解析部１２１は、ケラトリング像を解析することにより角膜前面の強主経線や弱主経線の角膜曲率半径を算出し、角膜曲率半径に基づいて上記パラメータを算出する。
【００５５】
（表示部１７０、操作部１８０）
表示部１７０は、制御部１１０による制御を受けて情報を表示する。操作部１８０は、眼科装置１０００の操作や情報入力に使用される。操作部１８０は、各種のハードウェアキー（ジョイスティック、ボタン、スイッチなど）、及び／又は、表示部１７０に提示される各種のソフトウェアキー（ボタン、アイコン、メニューなど）を含む。
【００５６】
（通信部１９０）
通信部１９０は、外部装置と通信する機能を持つ。通信部１９０は、外部装置との接続形態に応じた通信インターフェイスを備える。外部装置の例として、レンズの光学特性を測定するための眼鏡レンズ測定装置がある。眼鏡レンズ測定装置は、被検者が装用する眼鏡レンズの度数などを測定し、この測定データを眼科装置１０００に入力する。また、外部装置は、任意の眼科装置、記録媒体から情報を読み取る装置（リーダ）や、記録媒体に情報を書き込む装置（ライタ）などでもよい。更に、外部装置は、病院情報システム（ＨＩＳ）サーバ、ＤＩＣＯＭ（Ｄｉｇｉｔａｌ  Ｉｍａｇｉｎｇ  ａｎｄ  ＣＯｍｍｕｎｉｃａｔｉｏｎ  ｉｎ  Ｍｅｄｉｃｉｎｅ）サーバ、医師端末、モバイル端末、個人端末、クラウドサーバなどでもよい。
【００５７】
レフ測定投射系６は、実施形態に係る「投射系」の一例である。レフ測定受光系７は、実施形態に係る「受光系」の一例である。リング絞り６５は、実施形態に係る「絞り」の一例である。円錐プリズム６３は、実施形態に係る「偏向部材」の一例である。
【００５８】
＜動作例＞
実施形態に係る眼科装置１０００の動作について説明する。眼科装置１０００の動作の一例を図６に示す。図６は、眼科装置１０００の動作例のフロー図を表したものである。以下では、光源４１、コリメートレンズ４２及び視標チャート４３を含む視標ユニットが光軸方向に移動されるものとする。
【００５９】
（Ｓ１：アライメント）
図示しない顔受け部に被検者の顔が固定された状態で、検者が操作部１８０に対して所定の操作を行うことで、眼科装置１０００は、光源４１及び視標チャート４３により固視標として輝点を被検眼Ｅに投射し、アライメントを実行する。
【００６０】
具体的には、主制御部１１１は、Ｚアライメント光源１１やＸＹアライメント光源２１や光源４１を点灯させる。処理部９は、撮像素子５９の撮像面上の前眼部像の撮像信号を取得し、表示部１７０に前眼部像を表示させる。その後、図１に示す光学系が被検眼Ｅの検査位置に移動される。検査位置とは、被検眼Ｅの検査を十分な精度内で行うことが可能な位置である。前述のアライメント（Ｚアライメント系１及びＸＹアライメント系２と前眼部観察系５とによるアライメント）を介して被検眼Ｅが検査位置に配置される。光学系の移動は、ユーザによる操作若しくは指示又は制御部１１０による指示にしたがって、制御部１１０によって実行される。すなわち、被検眼Ｅの検査位置への光学系の移動と、他覚測定を行うための準備とが行われる。
【００６１】
また、主制御部１１１は、レフ測定光源６１と、合焦レンズ７４と、上記の視標ユニットをそれぞれの光軸に沿って原点の位置（例えば、０Ｄに相当する位置）に移動させる。
【００６２】
（Ｓ２：ケラト測定）
主制御部１１１は、光源４１及び視標チャート４３により固視標を被検眼Ｅに呈示させ、ケラト測定を実行させる。
【００６３】
すなわち、主制御部１１１は、ケラトリング光源を点灯させる。ケラトリング光源から光が出力されると、被検眼Ｅの角膜に角膜形状測定用のリング状光束が投射される。解析部１２１は、撮像素子５９によって取得された像に対して演算処理を施すことにより、角膜曲率半径を算出し、算出された角膜曲率半径から角膜屈折力、角膜乱視度及び角膜乱視軸角度を算出する。制御部１１０では、算出された角膜屈折力などが記憶部１１２に記憶される。主制御部１１１からの指示、又は操作部１８０に対するユーザの操作若しくは指示により、眼科装置１０００の動作はステップＳ３に移行する。
【００６４】
（Ｓ３：レフ測定）
主制御部１１１は、光源４１及び視標チャート４３を制御することにより固視標を被検眼Ｅに呈示させ、レフ測定を実行させる。
【００６５】
レフ測定では、主制御部１１１は、前述のようにレフ測定のためのリング状の測定パターン光束を被検眼Ｅに投射させる。被検眼Ｅからの測定パターン光束の戻り光に基づくリング像が撮像素子５９の撮像面に結像される。主制御部１１１は、撮像素子５９により検出された眼底Ｅｆからの戻り光に基づくリング像を取得できたか否かを判定する。例えば、主制御部１１１は、撮像素子５９により検出された戻り光に基づく像のエッジの位置（画素）を検出し、像の幅（外径と内径との差）が所定値以上であるか否かを判定する。或いは、主制御部１１１は、所定の高さ（リング径）以上の点（像）に基づいてリングを形成できるか否かを判定することにより、リング像を取得できたか否かを判定してもよい。
【００６６】
リング像を取得できたと判定されたとき、解析部１２１は、被検眼Ｅに投射された測定パターン光束の戻り光に基づくリング像を公知の手法で解析し、仮の球面度数及び乱視度数を求める。主制御部１１１は、仮の球面度数及び乱視度数に基づき、レフ測定光源６１、合焦レンズ７４、及び視標ユニットを等価球面度数（Ｓ＋Ｃ／２）の位置（仮の遠点に相当する位置）へ移動させる。主制御部１１１は、その位置から視標ユニットを更に雲霧位置に移動させた後、本測定としてレフ測定投射系６及びレフ測定受光系７を制御することによりリング像を再び取得させる。主制御部１１１は、前述と同様に得られたリング像の解析結果と合焦レンズ７４の移動量から球面度数、乱視度数及び乱視軸角度を解析部１２１に算出させる。
【００６７】
また、解析部１２１は、求められた球面度数及び乱視度Ｃから被検眼Ｅの遠点に相当する位置（本測定により得られた遠点に相当する位置）を求める。主制御部１１１は、求められた遠点に相当する位置に視標ユニットを移動させる。制御部１１０では、合焦レンズ７４の位置や算出された球面度数などが記憶部１１２に記憶される。主制御部１１１からの指示、又は操作部１８０に対するユーザの操作若しくは指示により、眼科装置１０００の動作はステップＳ４に移行する。
【００６８】
リング像を取得できないと判定されたとき、主制御部１１１は、強度屈折異常眼である可能性を考慮して、レフ測定光源６１及び合焦レンズ７４をあらかじめ設定したステップでマイナス度数側（例えば−１０Ｄ）、プラス度数側（例えば＋１０Ｄ）へ移動させる。主制御部１１１は、レフ測定受光系７を制御することにより各位置でリング像を検出させる。それでもリング像を取得できないと判定されたとき、主制御部１１１は、所定の測定エラー処理を実行する。このとき、眼科装置１０００の動作はステップＳ４に移行してもよい。制御部１１０では、レフ測定結果が得られなかったことを示す情報が記憶部１１２に記憶される。
【００６９】
（Ｓ４：自覚測定）
制御部１１０は、例えば、操作部１８０に対するユーザの指示に基づき、視標チャート４３を制御することにより所望の視標を表示させる。また、制御部１１０は、他覚測定の結果に応じた位置に視標ユニットを移動する。制御部１１０は、操作部１８０に対するユーザの指示に応じた位置に視標ユニットを移動させてもよい。
【００７０】
被検者は、眼底Ｅｆに投射された視標に対する応答を行う。例えば、視力測定用の視標の場合には、被検者の応答により被検眼の視力値が決定される。視標の選択とそれに対する被検者の応答が、検者又は制御部１１０の判断により繰り返し行われる。検者又は制御部１１０は、被検者からの応答に基づいて視力値或いは処方値（Ｓ、Ｃ、Ａ）を決定し、眼科装置１０００の動作は終了する（エンド）。
【００７１】
以上説明したように、眼底共役位置Ｐにレフ測定光源６１を配置し、且つ瞳孔共役位置Ｑにリング絞り６５を配置し、瞳孔共役位置Ｑの近傍に円錐プリズム６３を配置するようにしたので、眼底Ｅｆに細く輝度の高い（内径と外径の幅が狭い）リング状の測定パターン光束を投射することができるようになる。従って、被検眼Ｅに入射する測定パターン光束の光量を小さくすることができ、被検者の負担を軽減しつつ、信頼性の高い眼屈折力値を取得することができるようになる。また、瞳孔にも細いリング状光束を入射することができるため、睫毛や白内障に起因した水晶体の混濁部分で入射光束の一部が遮られた場合においても測定エラーや測定値のバラツキの発生を抑えることができるようになる。
【００７２】
実施形態に係る眼科装置１０００の光学系の構成は図１に示す構成に限定されるものではない。
【００７３】
図７に、実施形態の変形例に係る眼科装置の光学系の構成例を示す。図７において、図１と同様の部分には同一符号を付し、適宜説明を省略する。
【００７４】
変形例に係る眼科装置１０００ａの構成が眼科装置１０００の構成と異なる点は、レフ測定投射系６に代えてレフ測定投射系６ａが設けられている点である。レフ測定投射系６ａの構成がレフ測定投射系６の構成と異なる点は、円錐プリズム６３及びフィールドレンズ６４に代えてリングレンズ６９が設けられている点である。リングレンズ６９は、遮光領域として形成された中心領域と、当該中心領域の周囲にリング状に形成されたレンズ部とを含む。リングレンズ６９に入射した光束は、リング状光束として出射する。
【００７５】
本変形例において、リングレンズ６９は、レフ測定投射系６ａの大型化を回避しつつ、瞳孔共役位置Ｑに可能な限り近い位置に配置されることが望ましい。
【００７６】
図８に、リングレンズ６９の断面図を模式的に示す。例えば、図８に示すように、リングレンズ６９の被検眼Ｅの側のレンズ面にリング絞り６５が貼り付けられている。この場合、例えば、リングレンズ６９のレンズ面には、リング状の透光部が形成されるように遮光膜が蒸着される。
【００７７】
本変形例に係る眼科装置１０００ａの動作は実施形態と同様であるため、詳細な説明を省略する。
【００７８】
本変形例においても、実施形態と同様に、被検眼Ｅに入射する測定パターン光束の光量を小さくすることができ、被検者の負担を軽減しつつ、信頼性の高い眼屈折力値を取得することができるようになる。また、瞳孔にも細いリング状光束を入射することができるため、睫毛や白内障に起因した水晶体の混濁部分で入射光束の一部が遮られた場合においても測定エラーや測定値のバラツキの発生を抑えることができるようになる。
【００７９】
［作用・効果］
実施形態又は変形例に係る眼科装置の作用及び効果について説明する。
【００８０】
実施形態に係る眼科装置（１０００、１０００ａ）は、被検眼Ｅの眼屈折力を測定する。眼科装置は、投射系（レフ測定投射系６、６ａ）と、受光系（レフ測定受光系７）と、解析部（１２１）と、を含む。投射系は、被検眼の眼底（Ｅｆ）と光学的に略共役な位置（眼底共役位置Ｐ）に配置された光源（レフ測定光源６１）からの光を被検眼に投射する。受光系は、投射系により投射された光の眼底からの戻り光を受光する。解析部は、受光系による戻り光の受光結果に基づいて被検眼の眼屈折力値を求める。投射系は、記被検眼の瞳孔と光学的に略共役な位置（瞳孔共役位置Ｑ）に配置され、所定のパターン状の透光部が形成された絞り（リング絞り６５）と、光源からの光を偏向して透光部に導く偏向部材（円錐プリズム６３、リングレンズ６９）と、を含み、透光部を透過した光を被検眼に投射する。
【００８１】
このような構成によれば、眼底に輝度が高く細い（内径と外径との幅が狭い）測定パターン光束を投射することができるようになるので、被検眼に入射する測定パターン光束の光量を小さくすることができ、被検者の負担を軽減しつつ、信頼性の高い眼屈折力値を取得することができるようになる。また、瞳孔にも細い測状パターン光束を入射することができるため、睫毛や白内障に起因した水晶体の混濁部分で入射光束の一部が遮られた場合でも測定エラーや測定値のバラツキの発生を抑えることができるようになる。
【００８２】
また、実施形態に係る眼科装置では、投射系は、偏向部材と絞りとの間に配置されたフィールドレンズ（６４）を含んでもよい。
【００８３】
このような構成によれば、フィールドレンズを配置することにより投射系における光学的な距離を短くすることができるので、眼科装置に含まれる光学系（特に、投射系）のサイズの小型化に寄与することができるようになる。
【００８４】
また、実施形態に係る眼科装置では、フィールドレンズのレンズ面に絞りが貼り付けられていてもよい。
【００８５】
このような構成によれば、構造が簡略化され、眼科装置に含まれる光学系（特に、投射系）のサイズのより一層の小型化に寄与することができるようになる。
【００８６】
また、実施形態に係る眼科装置では、偏向部材における偏向された光の出射面に絞りが貼り付けられていてもよい。
【００８７】
このような構成によれば、構造が簡略化され、眼科装置に含まれる光学系（特に、投射系）のサイズのより一層の小型化に寄与することができるようになる。
【００８８】
また、実施形態に係る眼科装置では、絞りは、透光部がリング状に形成されたリング絞り（６５）であってよい。
【００８９】
このような構成によれば、眼底に輝度が高く、細い（内径と外径との幅が狭い）リング状光束を投射することができるようになるので、被検眼に入射するリング状光束の光量を小さくすることができ、被検者の負担を軽減しつつ、信頼性の高い眼屈折力値を取得することができるようになる。また、瞳孔にも細いリング状光束を入射することができるため、睫毛や白内障に起因した水晶体の混濁部分で入射光束が部分的に遮られる場合であっても測定エラーや測定値のバラツキの発生を抑えることができるようになる。
【００９０】
また、実施形態に係る眼科装置では、偏向部材は、円錐面（６３ａ）に入射した光源からの光を偏向し底面（６３ｂ）から出射する円錐プリズム（６３）を含んでもよい。
【００９１】
このような構成によれば、被検者の負担を軽減しつつ、信頼性の高い眼屈折力値を取得する眼科装置の低コスト化や小型化を図ることができるようになる。
【００９２】
また、実施形態に係る眼科装置では、偏向部材は、リングレンズ（６９）を含んでもよい。
【００９３】
このような構成によれば、被検者の負担を軽減しつつ、信頼性の高い眼屈折力値を取得する眼科装置の低コスト化や小型化を図ることができるようになる。
【００９４】
＜変形例＞
以上に示された実施形態は、この発明を実施するための一例に過ぎない。この発明を実施しようとする者は、この発明の要旨の範囲内において任意の変形、省略、追加等を施すことが可能である。
【００９５】
前述の実施形態では、視標チャート４３として透過型の液晶パネルを用いた場合について説明したが、実施形態に係る眼科装置の構成はこれに限定されるものではない。視標チャート４３は、光学式チャートであってもよい。
【符号の説明】
【００９６】
１  Ｚアライメント系
２  ＸＹアライメント系
３  ケラト測定系
４  視標投影系
５  前眼部観察系
６、６ａ  レフ測定投射系
７  レフ測定受光系
９  処理部
６３  円錐プリズム
６４  フィールドレンズ
６５  リング絞り
６９  リングレンズ
１１０  制御部
１１１  主制御部
１２１  解析部
１０００、１０００ａ  眼科装置
【図１】
2019058437.tif 000003
【図２】
2019058437.tif 000004
【図３】
2019058437.tif 000005
【図４】
2019058437.tif 000006
【図５】
2019058437.tif 000007
【図６】
2019058437.tif 000008
【図７】
2019058437.tif 000009
【図８】
2019058437.tif 000010